(57)【要約】【課題】  排水溝蓋によって廃水または雨水を有効かつ迅速に排水溝の内に導入し、臭気およびメタンガスが排水溝蓋の排水孔から溢出するのを有効に阻止でき、排水溝蓋の周囲の空気の品質を有効に改善できる排水溝蓋を提供する。【解決手段】  本体および少なくとも一個の第一エアチョーク部材２を有する。本体には上表面１２、底表面１３と本体を貫穿する少なくとも一個の通孔１１が形成され、底表面１３の通孔１１の周縁には結合部１４が設けられる。第一エアチョーク部材２には本体の通孔１１と対応した形状を有する框体２１が形成され、框体２１の内周壁から中心方向に向くように複数個の気密部材２２が形成される。気密部材２２は弾性を有する弾性材質で製造され、気密部材２２によって框体２１が囲んだ範囲を覆い隠す。第一エアチョーク部材２は框体２１によって位置決め部材１５を利用して本体の結合部１４に固定する。【選択図】  図１
0003154008.tif 000002
【実用新案登録請求の範囲】
【請求項１】
排水溝蓋に用いるエアチョーク部材において、排水溝蓋の通孔（１１）と対応した形状を有する框体（２１）を有し、框体（２１）の内周壁から中心方向に向くように複数個の気密部材（２２）が形成され、気密部材（２２）は弾性を有する部材により製造され、かつ気密部材（２２）によって框体（２１）が囲んだ範囲内を覆い隠すように形成されることを特徴とするエアチョーク部材。
【請求項２】
気密部材（２２）はナイロン糸、プラスチック糸または腐食し難い繊維材質により製造されることを特徴とする請求項１に記載のエアチョーク部材。
【請求項３】
気密部材（２２）は框体（２１）の内周壁の内の一辺に固定されることを特徴とする請求項１または２に記載のエアチョーク部材。
【請求項４】
気密部材（２２）は框体（２１）の内周壁の二個の相対する辺に固定され、かつ互いに対向する辺に向いて延伸するように形成されることを特徴とする請求項１または２に記載のエアチョーク部材。
【請求項５】
本体および少なくとも一個の第一エアチョーク部材（２）が含まれる排水溝蓋（１）において、上記本体には上表面（１２）、底表面（１３）と上記本体を貫穿する少なくとも一個の通孔（１１）が形成され、底表面（１３）の通孔（１１）の周縁には結合部（１４）が設けられ、第一エアチョーク部材（２）には上記本体の通孔（１１）と対応した形状を有する框体（２１）が形成され、框体（２１）の内周壁から中心方向に向くように複数個の気密部材（２２）が形成され、気密部材（２２）は弾性を有する弾性材質により製造され、かつ気密部材（２２）によって框体（２１）が囲んだ範囲を覆い隠し、第一エアチョーク部材（２）は框体（２１）によって位置決め部材（１５）を利用して上記本体の結合部（１４）に固定するように形成されることを特徴とする排水溝蓋。
【請求項６】
気密部材（２２）はナイロン糸、プラスチック糸または腐食し難い繊維材質により製造されることを特徴とする請求項５に記載の排水溝蓋。
【請求項７】
気密部材（２２）は框体（２１）の内周壁の一辺に固定され、かつ対向する辺に向いて延伸するように形成されることを特徴とする請求項５または６に記載の排水溝蓋。
【請求項８】
気密部材（２２）は框体（２１）の内周壁の二個の相対する辺に固定され、かつ互いに対向する辺に向いて延伸するように形成されることを特徴とする請求項５に記載の排水溝蓋。
【請求項９】
上記本体と第一エアチョーク部材（２）との間には第二エアチョーク部材（３）が設けられ、第二エアチョーク部材（３）には複数個の剥離線（３１）が設けられることにより、第二エアチョーク部材（３）は複数個の剥離線（３１）に従って複数個の薄片（３２）が形成され、薄片（３２）は剥離線（３１）に従って開閉するように作動されることを特徴とする請求項５または６に記載の排水溝蓋。
【請求項１０】
位置決め部材（１５）には他に第二エアチョーク部材（３）が結合され、第一エアチョーク部材（２）は上記本体と第二エアチョーク部材（３）との間に設けられ、第二エアチョーク部材（３）には複数個の剥離線（３１）が設けられることにより、第二エアチョーク部材（３）は複数個の剥離線（３１）に従って複数個の薄片（３２）が形成され、薄片（３２）は剥離線（３１）に従って開閉するように作動されることを特徴とする請求項５または６に記載の排水溝蓋。
【請求項１１】
位置決め部材（１５）には他に第三エアチョーク部材（４）が結合され、第一エアチョーク部材（２）は上記本体と第二エアチョーク部材（３）との間に設けられ、第三エアチョーク部材（４）は弾性と湾曲性を有する薄片からなり、かつ一個の辺から位置決め部材（１５）により上記本体に結合されることを特徴とする請求項５または６に記載の排水溝蓋。
【考案の詳細な説明】
【技術分野】
【０００１】
本考案は、排水溝蓋およびそのエアチョーク部材に関するもので、特に排水溝内の蚊や虫、臭気およびメタンガスが溢出するのを防止することができる排水溝蓋およびそのエアチョーク部材に係るものである。
【背景技術】
【０００２】
従来の排水溝蓋は直接排水溝の上に設置され、上記排水溝蓋には複数個の開孔が設けられることにより、雨水や廃水は上記複数個の開孔から上記排水溝の内に流れ込むことができるが、それに対して上記排水溝の内に生じられる蚊や虫、臭気およびメタンガスも上記複数個の開孔から溢出することにより、これらの蚊や虫によって人体に悪影響を及ぼしてしまうとともに、臭気とメタンガスによって周辺の空氣の品質を変えてしまうため、人間に不快感を与えてしまうという問題点があった。
【０００３】
また、従来の排水溝蓋の構造として、例えば図１０を参照すると、中華民国公告第５１４０８６号「密封式排水溝蓋」（特許文献１を参照）において、排水溝蓋９は底部の一辺から複数個の連接部材９１を利用して板体９２と連接する。板体９２は連接部材９１が連接する辺において開放端９３が形成され、開放端９３は排水溝蓋９の底部に対して活動自在に開閉するように形成されるようにしたものがある。
【０００４】
また、例えば図１１を参照すると、上述した従来の排水溝蓋の構造では板体９２の開放端９３が大部分の時間において排水溝蓋９の底面に近接するような状態になるように期待されているため、排水溝蓋９の複数個の排水孔９４は覆い隠しの状態に近い状態に形成することができるため、排水溝の内の臭気とメタンガスが複数個の排水孔９３から溢出するのを防止している。
【０００５】
また、例えば図１２を参照すると、排水溝蓋９に流れ込んだ雨水または廃水が一定の量を超えると、溜まった雨水または廃水の重量が板体２が受ける予定の圧力より大きくなると、板体２の開放端９３と排水溝蓋９との間に比較の大きい間隔を有する開口が形成されることにより、排水溝蓋９の排水口９４に流れ込んだ大量の廃水または雨水が上記開口に沿って排水溝の内に流れ込む。
【先行技術文献】
【特許文献】
【０００６】
【特許文献１】中華民国公告第５１４０８６号
【考案の概要】
【考案が解決しようとする課題】
【０００７】
上記のような従来の従来の排水溝蓋の構造において、開放端９３は大部分の時間において排水溝蓋９の底面に近接するような閉止状態になるように期待することができるため、板体９２によって排水溝蓋９の複数個の排水孔９４を覆い隠し、蚊や虫、臭気およびメタンガスが排水孔９４から飛び出たりまたは溢出したりするのを阻止することができる。そして板体９２は弾性と湾曲性を有する薄片からなるが、板体９２は一辺から複数個の連接部材９１によって排水溝蓋９に活動自在に連接され、さらに開放端９３において必要とする開閉の部材を欠けているため、上述した従来の排水溝蓋９では大部分の時間において開放端９３は依然として閉止することができず、いわゆる開いた状態に形成される。そのため、板体９２によって排水溝蓋９の排水口９４を覆い隠すことで、排水溝の内の蚊や虫、臭気やメタンガスが複数個の排水孔９３から飛び出たりまたは溢出したりするのを防止するという目的を達成できないという問題点があった。
【０００８】
本考案はこのような問題点に鑑みて考案したものであって、その主な目的とするところは、排水溝蓋によって廃水または雨水を有効かつ迅速に排水溝の内に導入することにより、臭気およびメタンガスが排水溝蓋の排水孔から溢出するのを有効に阻止することができ、それにより、排水溝蓋の周囲の空気の品質を有効に改善することができる排水溝蓋を提供することである。
【０００９】
本考案の第二の目的は、排水溝蓋によって廃水または雨水を有効かつ迅速に排水溝の内に導入することにより、蚊や虫が排水溝の内から飛び出るのを有効に阻止することができ、人間の健康に悪影響をとぼすのを低く抑えることができる排水溝蓋を提供することである。
【００１０】
本考案の第三の目的は、エアチョーク部材を独立したユニットにより形成し、この独立したユニットのエアチョーク部材が長期の使用によって損壊した時、独立したユニットのエアチョークを取り換えることにより、排水溝蓋のコストを有効に低く抑えることができる排水溝蓋のエアチョーク部材を提供することである。
【課題を解決するための手段】
【００１１】
上記目的を達成するために、本考案による排水溝蓋のためのエアチョーク部材は、下記のようになるものである。すなわち、
本考案によるエアチョーク部材は排水溝蓋に用いるエアチョーク部材であり、水溝蓋の通孔と対応した形状を有する框体を有し、框体の内周壁から中心方向に向くように複数個の気密部材が形成され、気密部材は弾性を有する弾性材質により製造され、かつ気密部材によって框体が囲んだ範囲を覆い隠すように形成される。
【００１２】
また、本考案によるエアチョーク部材は、気密部材をナイロン糸、プラスチック糸または腐食し難い繊維材質により製造することもできる。また、気密部材を框体の内周壁のその内の一辺に固定することもできる。また、気密部材は框体の内周壁の二個の相対する辺に固定され、かつ互いに対向する辺に向いて伸延するように形成することもできる。
【００１３】
一方、本考案による排水溝蓋には本体および少なくとも一個の第一エアチョーク部材が含まれる。本体には上表面、底表面と本体を貫穿する少なくとも一個の通孔が形成され、底表面の通孔の周縁には結合部が設けられる。第一エアチョーク部材には本体の通孔と対応した形状を有する框体が形成され、框体の内周壁から中心方向に向くように複数個の気密部材が形成され、気密部材は弾性を有する弾性材質により製造され、かつ気密部材によって框体が囲んだ範囲を覆い隠し、第一エアチョーク部材は框体によって位置決め部材を利用して本体の結合部に固定するように形成される。
【００１４】
また、本考案による排水溝蓋は、気密部材をナイロン糸、プラスチック糸または腐食し難い繊維材質により製造されることもできる。また、気密部材は框体の内周壁の一辺に固定され、かつ対向する辺に向いて延伸するように形成することもできる。また、気密部材は框体の内周壁の二個の相対する辺に固定され、かつ互いに対向する辺に向いて延伸するように形成することもできる。また、本体と第一エアチョーク部材との間には第二エアチョーク部材が設けられ、第二エアチョーク部材には複数個の剥離線が設けられることにより、第二エアチョーク部材は複数個の剥離線に従って複数個の薄片が形成され、薄片は剥離線に従って開閉するように作動されることもできる。また、位置決め部材には他に第二エアチョーク部材が結合され、第一エアチョーク部材は本体と第二エアチョーク部材との間に設けられ、第二エアチョーク部材には複数個の剥離線が設けられることにより、第二エアチョーク部材は複数個の剥離線に従って複数個の薄片が形成され、薄片は剥離線に従って開閉するように作動されることもできる。また、位置決め部材には他に第三エアチョーク部材が結合され、第一エアチョーク部材は本体と第二エアチョーク部材との間に設けられ、第三エアチョーク部材は弾性と湾曲性を有する薄片からなり、かつ一個の辺から位置決め部材により本体に結合されることもできる。
【考案の効果】
【００１５】
本考案の請求項１のエアチョーク部材によれば、エアチョーク部材は独立したユニットからなるため、独立したユニットのエアチョーク部材が長期の使用によって損壊した時、独立したユニットのエアチョークを取り換えることにより、排水溝蓋のコストを有効に低く抑えることができる。
【００１６】
本考案の請求項２のエアチョーク部材によれば、気密部材がナイロン糸、プラスチック糸または腐食し難い繊維材質により製造される時、気密部材の変形はさらに弾性を有するようになるとともに、気密部材によって同様に請求項１に述べられているような効果を達成することができる。
【００１７】
本考案の請求項３、４のエアチョークによれば、気密部材が框体の内周壁の一辺または二個の相対する辺に固定される時、気密部材によって同様に請求項１に述べられているような効果を達成することができる。
【００１８】
本考案の請求項５の排水溝蓋によれば、廃水または雨水を有効かつ迅速に排水溝の内まで導入することにより、そして蚊や虫が通孔から飛び出るのを有効に防止することができるため、さらに臭気およびメタンガスが排水溝蓋の排水孔から溢出するのを有効に阻止することができるため、蚊や虫が人間の健康に悪影響をとぼすのを低く抑えることができるとともに、排水溝蓋の周囲の空気の品質を有効に改善することができる。
【００１９】
本考案の請求項６の排水溝蓋によれば、第一エアチョーク部材の気密部材がナイロン糸、プラスチック糸または腐食し難い繊維材質により製造される時、気密部材の変形はさらに弾性を有するようになるとともに、気密部材によって同様に請求項５に述べられているような効果を達成することができる。
【００２０】
本考案の請求項７、８の排水溝蓋によれば、第一エアチョーク部材の気密部材が框体の内周壁の一辺または二個の相対する辺に固定される時、気密部材によって同様に請求項５に述べられているような効果を達成することができる。
【００２１】
本考案の請求項９、１０の排水溝蓋によれば、本体に第二エアチョーク部材が設けられる時、第二エアチョーク部材と第一エアチョーク部材によって廃水または雨水を有効かつ迅速に排水溝の内に導入することにより、蚊や虫が通孔から飛び出るのを防止することができ、さらに臭気およびメタンガスが排水溝蓋の排水孔から溢出するのを有効に阻止することができるため、人間の健康に悪影響をとぼすのを低く抑えることができるとともに、排水溝蓋の周囲の空気の品質を有効に改善することができる。
【００２２】
本考案の請求項１１の排水溝蓋によれば、本体に第三エアチョーク部材が設けられる時、第三エアチョーク部材と第一エアチョーク部材によって廃水または雨水を有効かつ迅速に排水溝の内に導入することにより、蚊や虫が通孔から飛び出るのを防止することができ、さらに臭気およびメタンガスが排水溝蓋の排水孔から溢出するのを有効に阻止することができるため、人間の健康に悪影響をとぼすのを低く抑えることができるとともに、排水溝蓋の周囲の空気の品質を有効に改善することができる。
【図面の簡単な説明】
【００２３】
【図１】本考案の実施例１の排水溝蓋による分解斜視図である。
【図２】本考案の実施例１の排水溝蓋による組み立てられた状態の正面断面図である。
【図３】本考案の実施例２の排水溝蓋による分解斜視図である。
【図４】本考案の実施例２の排水溝蓋による組み立てられた状態の正面断面図である。
【図５】本考案の実施例３の排水溝蓋による分解斜視図である。
【図６】本考案の実施例３の排水溝蓋による組み立てられた状態の正面断面図である。
【図７】本考案の実施例４の排水溝蓋による分解斜視図である。
【図８】本考案の実施例４の排水溝蓋による組み立てられた状態の正面断面図である。
【図９】図８に示す作動状態の正面断面図である。
【図１０】従来の密封排水溝蓋による分解斜視図である。
【図１１】図１０のＡ−Ａ線に沿った断面図である。
【図１２】図１０に示す作動状態の正面断面図である。
【考案を実施するための形態】
【００２４】
本考案の実施の形態について、以下、図面を参照して説明する。
【実施例１】
【００２５】
図１は本考案の実施例１による排水溝蓋の分解斜視図で、図２は本考案の実施例１による排水溝蓋の組み立てられた状態の正面断面図である。図１、２を参照すると、本考案の実施例１の排水溝蓋には本体１および複数個の第一エアチョーク部材２が含まれる。本体１には少なくとも一個の通孔１１が設けられ、第一エアチョーク部材２は本体１の複数個の通孔１１に結合される。
【００２６】
本体１の通孔１１は本体１の上表面１２と底表面１３を貫穿するように形成されることにより、雨水や廃水は自由に通孔１１の上表面１２から底表面１３まで流れる。底表面１３において少なくとも一個の通孔１１に隣接する部分には結合部１４が設けられ、結合部１４により位置決め部材を利用して１５第一エアチョーク部材２を本体１の結合部１４に固定することができる。
【００２７】
第一エアチョーク部材２には框体２１と気密部材２２が含まれる。框体２１は本体１の通孔１１と対応する形状に形成され、框体２１の面積は通孔１１より大きくなるように形成される。框体２１には複数個の位置決め孔２３が設けられ、位置決め孔２３により位置決め部材１５を利用して第一エアチョーク部材２を本体１の底表面１３の結合部１４に固定することができる。框体２１はその内周壁から中心方向に向くように複数個の気密部材２２が設けられ、気密部材２２は好ましくは弾性を有するナイロン糸、プラスチック糸または腐食し難い繊維部材により製造される。気密部材２２は框体２１のその内の一個の辺またはそれぞれ二個の相対する辺に固定することができ、そして互いに対向する辺に向いて延伸して接触するように形成されることにより、複数個の気密部材２２により框体２１が囲んだ範囲を覆い隠すことができる。気密部材２２が框体２１に固定される方式としては従来の各種の固定方法を利用することができ、上記固定方法は好ましくは植込み式を採用することにより、気密部材２２は一端だけをもって框体２１に固定することができる。
【００２８】
再び図２を参照すると、第一エアチョーク部材２は複数個の位置決め孔２３から位置決め部材１５により本体１の底表面１３に設けられる結合部１４に固定され、第一エアチョーク部材２の気密部材２２により通孔１１を完全に覆い隠すことができる。上記結合されたエアチョーク部材が排水溝の排水孔に設けられる時、雨水や廃水によって気密部材２２を変形させることにより、雨水や廃水は気密部材２２の相互間の隙間から通過して排水溝の内に進入することができる。本体１の通孔１１に大量の雨水や廃水が進入しなくなる時、気密部材２２はその自体の弾性により閉止の状態にふ復帰することができる。このように、気密部材２２により蚊や虫、臭気とメタンガスなどの気体が本体１の底表面１３から本体１の上表面１２に到達するのを有効に阻止することができるため、隔絶の効果を有効に達成することができる。
【実施例２】
【００２９】
図３は本考案の実施例２による排水溝蓋の分解斜視図で、図４は本考案の実施例２による排水溝蓋の組み立てられた状態の正面断面図である。図３、４を参照すると、本考案の実施例２の排水溝蓋には本体１、複数個の第一エアチョーク部材２および複数個の第二エアチョーク部材３が含まれる。本体１および第一エアチョーク部材２は実施例１と同様に形成されるが、本実施例においては本体１と複数個の第一エアチョーク部材２との間に複数個の第二エアチョーク部材３が設けられ、そして位置決め部材１５により同時に第一エアチョーク部材２と第二エアチョーク部材３を本体１の結合部１４に固定することができる。
【００３０】
第二エアチョーク部材３はＰＥ、ＰＰ、ＰＷＣなどのプラスチックまたはゴム等の弾性を有する部材により製造される。第二エアチョーク部材３そのものには複数個の剥離線３１が設けられ、、第二エアチョーク部材３は複数個の剥離線３１に従って複数個の薄片３２が形成されることにより、薄片３２は剥離線３１に従って開閉するように作動される。第二エアチョーク部材３には複数個の位置決め孔３３が設けられ、第二エアチョーク部材３と第一エアチョーク部材２は互いに対応する位置決め孔３３、２３により位置決め部材１５を利用して本体１の底表面１３の結合部１４に固定することができる。これにより、廃水や雨水を排水溝に導入しようとする時、廃水や雨水によって第二エアチョーク部材３の薄片３２と第一エアチョーク部材２の気密部材２２を変形させることにより、廃水や雨水は複数個の薄片３２の隙間と複数個の気密部材２２の隙間から通過し、そして排水溝の内に進入することができる。本体１の通孔１１に大量の雨水や廃水が進入しなくなる時、薄片３２と気密部材２２はそのもの弾性により閉止の状態に復帰することができる。このように、薄片３２と気密部材２２により蚊や虫、臭気とメタンガスなどの気体が本体１の底表面１３から本体１の上表面１２に到達するのを有効に阻止することができ、すなわち本考案の排水溝蓋によれば、蚊や虫の隔絶や気体が通孔１１から溢出したりするのを防止する効果を有効に達成することができる。
【実施例３】
【００３１】
図５は本考案の実施例３による排水溝蓋の分解斜視図で、図６は本考案の実施例３による排水溝蓋の組み立てられた状態の正面断面図である。図５、６を参照すると、本考案の実施例３の排水溝蓋には本体１、複数個の第一エアチョーク部材２および複数個の第二エアチョーク部材３が含まれる。本体１、第一エアチョーク部材２および第一エアチョーク部材３は実施例２と同様であるが、本実施例においては位置決め部材１５を利用して第一エアチョーク部材２と第二エアチョーク部材３の位置決め孔２３、３３によって第一エアチョーク部材２と第二エアチョーク部材３を同時に本体１の結合部１４に固定することができ、そして第一エアチョーク部材２は本体１と第二エアチョーク部材３との間に設けられる。
【００３２】
これにより、廃水や雨水を排水溝に導入しようとする時、廃水や雨水によって第一エアチョーク部材２の気密部材２２と第二エアチョーク部材３の薄片３２を変形させることにより、廃水や雨水は複数個の気密部材２２の隙間と複数個の薄片３２の隙間から通過し、そして排水溝の内に進入することができる。本体１の通孔１１に大量の雨水や廃水が進入しなくなる時、気密部材２２と薄片３２はそのもの弾性により閉止の状態に復帰することができる。このように、気密部材２２と薄片３２により蚊や虫、臭気とメタンガスなどの気体が本体１の底表面１３から本体１の上表面１２に到達するのを有効に阻止することができ、すなわち本考案の排水溝蓋によれば、蚊や虫の隔絶や気体が通孔１１から溢出したりすることを阻止する効果を有効に達成することができる。
【実施例４】
【００３３】
図７は本考案の実施例４による排水溝蓋の分解斜視図で、図８は本考案の実施例４による排水溝蓋の組み立てられた状態の正面断面図で、図９は図８に示す作動状態の正面断面図である。図７、８を参照すると、本考案の実施例４の排水溝蓋には本体１、複数個の第一エアチョーク部材２および複数個の第三エアチョーク部材４が含まれる。本体１および第一エアチョーク部材２は実施例１と同様であるが、本実施例においては複数個の第一エアチョーク部材２が位置決め部材１５により本体１の結合部１４に固定される。さらに、位置決め部材１５は第一エアチョーク部材２を固定すると同時に、位置決め部材１５は同時に活動自在に第三エアチョーク部材４の一辺を連接し、そして第一エアチョーク部材２は本体１と第三エアチョーク部材４の間に位置するように形成される。
【００３４】
第三エアチョーク部材４はプラスチックまたはゴムなどの弾性および湾曲性を有する薄片からなることができ、第三エアチョーク部材４は一辺において複数個の位置決め孔４１が設けられ、複数個の位置決め孔４１は第一エアチョーク部材２の複数個の位置決め孔２３と互いに対応するように形成される。
【００３５】
再び図７、８を参照すると、本実施例においては先ず位置決め部材１５を第一エアチョーク部材２の同じ一辺に設けられた位置決め孔２３に貫穿させ、第一エアチョーク部材２の一辺を先に本体１の底表面１３の結合部１４に固定させ、それから再び位置決め部材１５を第三エアチョーク部材４の位置決め孔４１と第一エアチョーク部材２の他方の辺の位置決め孔２３に貫穿させる。これにより、第三エアチョーク部材４と第一エアチョーク部材２は同時に本体１の底表面１３の結合部１４に結合され、さらに第三エアチョーク部材４は一方の辺だけによって活動自在に本体１に結合されるため、第三エアチョーク部材４と本体１とが互いに連接する対応の辺には開放端が形成され、そして図９に示すように比較的大きい距離を有する開口が形成されるため、大量な廃水や雨水を排水溝の内に導入することができる。
【００３６】
本体１の通孔１１に大量の雨水や廃水が進入しなくなると、複数個の気密部材はそれ自体の弾性により閉止の状態に復帰することができ、そして第三エアチョーク部材４の開放端は復位することができなくても、第三エアチョーク部材４と第一エアチョーク部材２との間には依然として開口が形成されるため、複数個の気密部材２２により蚊や虫、臭気とメタンガスなどの気体が本体１の底表面１３から本体１の上表面１２に到達するのを有効に阻止することができる。すなわち本考案の排水溝蓋によれば、蚊や虫の隔絶や気体が通孔１１から溢出したりすることを阻止する効果を有効に達成することができる。
【００３７】
本考案は、その精神とび必須の特徴事項から逸脱することなく他のやり方で実施することができる。従って、本明細書に記載した好ましい実施形態は例示のなものであり、限定のなものではない。
【符号の説明】
【００３８】
１    排水溝蓋                              １１    通孔
１２    上表面                                １３    底表面
１４    結合部                                １５    位置決め部材
２    第一エアチョーク部材                  ２１    框体
２２    気密部材                              ２３    位置決め孔
３    第二エアチョーク部材                  ３１    剥離線
３２    薄片                                  ３３    位置決め孔
４    第三エアチョーク部材                  ４１    位置決め孔
９    排水溝蓋                              ９１    連接部材
９２    板体                                  ９３    開放端
９４    排水孔
【図１】
0003154008.tif 000003
【図２】
0003154008.tif 000004
【図３】
0003154008.tif 000005
【図４】
0003154008.tif 000006
【図５】
0003154008.tif 000007
【図６】
0003154008.tif 000008
【図７】
0003154008.tif 000009
【図８】
0003154008.tif 000010
【図９】
0003154008.tif 000011
【図１０】
0003154008.tif 000012
【図１１】
0003154008.tif 000013
【図１２】
0003154008.tif 000014